(57)【要約】【課題】ステープルの補充の必要を、空打ちする前に知ることができる針切れ報知機能付きホッチキスを提供する。【解決手段】少なくともステープルマガジン（２０）とハンドル（３０）とを、ベース（１０）の後端部で回動可能に軸着してなるホッチキスにおいて、ステープル（２１）を押送するプッシャ（２５）の前端面に、ステープル（２１）の脚部と当接する下突起片（２６）、及び、天部と当接する上突起片（２７）を設けると共に、ステープル（２１）を打ち出すドライバ（３１）には、プッシャ（２５）と接近したときに前記上突起片（２７）と対向する位置に切欠き（３２）を設け、さらに、上記のプッシャ（２５）の両側面には、上記のベース（１０）とステープルマガジン（２０）とハンドル（３０）とが閉じられた状態でも、外側からプッシャ（２５）を移動できる様にするための操作レバー（２８）を設けたことを特徴とする。【選択図】図１
2004261893.tif 000002
【特許請求の範囲】
【請求項１】
少なくともステープルマガジンとハンドルとを、ベースの後端部で回動可能に軸着してなるホッチキスにおいて、ステープルを押送するプッシャの前端面に、ステープルの脚部と当接する下突起片、及び、天部と当接する上突起片を設けると共に、ステープルを打ち出すドライバには、プッシャと接近したときに前記上突起片と対向する位置に切欠きを設け、さらに、上記のプッシャの両側面には、上記のベースとステープルマガジンとハンドルとが閉じられた状態でも、外側からプッシャを移動できる様にするための操作レバーを設けた針切れ報知機能つきホッチキス。
【発明の詳細な説明】
【０００１】
【発明の属する技術分野】
本発明は、ホッチキスの改良に関するものである。
【０００２】
【従来の技術】
近年、種々のタイプのホッチキスが提案されてきているが、これらはいずれも基本的には、曲台を有するベースと、打出口に向けて押送付勢しつつステープルを装填するステープルマガジンと、このステープルを打ち出すドライバを有するハンドルの三者を、後端部で回動可能に軸着した構成となっている。
【０００３】
【特許文献１】
特開平７−３１０７１６
【０００４】
上記特許文献においては、ステープルの最後の１本に着色しておき、その着色針によって書類が綴じられたことをもってステープルの補充の必要を知らせるようにする技術が開示されている。
【０００５】
【特許文献２】
実開平５−６３７８０
【０００６】
上記特許文献においては、ハンドルに視認窓を設けてステープルの残量を随時確認できるようにする技術が開示されている。
【０００７】
【発明が解決しようとする課題】
ところが、前記基本構成のホッチキスは、いずれのタイプのものも、ステープルの最後の１本を使い切り、針切れの状態になった場合、通常は使用前にステープルの残量をいちいち目視確認しないため、いわゆる空打ちをして初めてステープルの補充の必要を知ることになる。つまり、通常の使用方法では針切れを起こしたことを空打ちする前に知ることはできなかった。本発明は、この欠点を解決するためになされたものである。
【０００８】
【課題を解決するための手段】
上記課題を解決する本発明の針切れ報知機能付きホッチキスは、少なくともステープルマガジン（２０）とハンドル（３０）とを、ベース（１０）の後端部で回動可能に軸着してなるホッチキスにおいて、ステープル（２１）を押送するプッシャ（２５）の前端面に、ステープル（２１）の脚部と当接する下突起片（２６）、及び、天部と当接する上突起片（２７）を設けると共に、ステープル（２１）を打ち出すドライバ（３１）には、プッシャ（２５）と接近したときに前記上突起片（２７）と対向する位置に切欠き（３２）を設け、さらに、プッシャ（２５）の両側面には、ベース（１０）とステープルマガジン（２０）とハンドル（３０）とが閉じられた状態でも、外側からプッシャ（２５）を移動できる様にするための操作レバー（２８）を設ける。本発明は以上の構成よりなる針切れ報知機能つきホッチキスである。
【０００９】
【実施例】
以下、図示実施例につき本発明を説明する。
本発明の針切れ報知機能付きホッチキスは、図１に示すように、基本的には、ベース（１０）、ステープルマガジン（２０）およびハンドル（３０）の三者が、その後端部において回動軸（１１）により回動可能に軸着されて構成されている。
【００１０】
ベース（１０）は、その前端部に、ステープル（２１）の脚部を折り曲げるための凹みの形成された曲台（１２）を有している。このベース（１０）とステープルマガジン（２０）の後端部との間には板バネ（１３）が介装されており、この板バネ（１３）により、ステープルマガジン（２０）が、ベース（１０）とは離反する方向に付勢されている。
【００１１】
ステープルマガジン（２０）は、多数綴りになったステープル（２１）を装填するもので、横断面Ｕ字状の案内箱を主体としている。このステープルマガジン（２０）の前端底部には、ステープル（２１）を順次打ち出すためのステープル打出口（２２）が形成されていて、このステープル打出口（２２）は、ステープルマガジン（２０）がベース（１０）に対して回動接近したときに曲台（１２）と対向するようになっている。
【００１２】
ステープルマガジン（２０）内には、底板の前後部の切起し片（２３）、（２３）間に渡されたガイドバー（２４）に挿通され、ステープル（２１）を打出口（２２）方向に押送するプッシャ（２５）が遊嵌されている。プッシャ（２５）は、ガイドバー（２４）に巻回された圧縮バネ（２９）により、ステープル（２１）の押送方向に付勢されている。
【００１３】
プッシャ（２５）には、その前端面にステープル（２１）の天部と接する位置に少なくとも１つの上突起片（２７）と、ステープル（２１）の左右の脚部と接する位置に下突起片（２６）が設けられており、この少なくとも３つの接点は、ステープル（２１）全体を打出口（２２）方向に対して偏ることなく平衡に押送する力を作用させている。
【００１４】
また、プッシャ（２５）には、ハンドル（３０）およびステープルマガジン（２０）と干渉することなく、ホッチキスの外側にまで突出している操作レバー（２８）が設けられており、ハンドル（３０）が閉じられた状態でも外側からプッシャ（２５）を操作できるようになっている。
【００１５】
ハンドル（３０）は、ドライバ（３１）を備えている。ドライバ（３１）は、屈曲の先端がステープルマガジン（２０）の打出口（２２）と対向しており、ステープルマガジン（２０）内のステープル（２１）を先の方から順次打ち出すものである。また、ハンドル（３０）は、板バネ（３３）によりドライバ（３１）の打ち出し時にステープルマガジン（２０）と離反する方向に付勢されている。
【００１６】
ドライバ（３１）には、ドライバ（３１）とプッシャ（２５）が接している状態における上突起片（２７）の配置に見合った位置に切欠き（３２）を設けることにより、ステープルマガジン（２０）内のステープル（２１）が空になった時にプッシャ（２５）の上突起片（２７）がドライバ（３１）の切欠き（３２）に引っ掛かる様にしている。
【００１７】
上記本発明のホッチキスは、したがって、先ず、ステープルマガジン（２０）内にステープル（２１）が装填された状態で、曲台（１２）上に綴じるべき書類を置き、ハンドル（３０）とベース（１０）を板バネ（１３）の力に抗して接近する方向に押圧回動させる。
すると、ハンドル（３０）とステープルマガジン（２０）が同動した後、その打出口（２２）が書類に押圧される。このとき、ドライバ（３１）が板バネ（３３）の力に抗して接近方向に動き、ステープル（２１）を打出口（２２）から打ち出す。これにより、ステープル（２１）の脚部が書類に刺さり、書類から突き出た脚部先端が曲台（１２）により内側に折り曲げられて、書類が綴じられる。そして、使用者がハンドル（３０）とベース（１０）を押圧回動する力を緩めると板バネ（１３）および板バネ（３３）の復元力により、ホッチキスは元の状態に復帰する。
【００１８】
なお、従来技術のステープル（２１）の最後の１本に着色しておき、その着色針によって書類が綴じられたことをもってステープル（２１）の補充の必要を知らせるようにする方法の場合は、上記操作が繰り返し行われる度に綴じられた書類のステープル（２１）を目視し、着色されていないか確認する必要がある。
【００１９】
また、従来技術のハンドル（３０）に視認窓を設けてステープル（２１）の残量を随時確認できるようにする方法の場合は、書類を綴じる動作を開始する前に視認窓からステープル（２１）を目視し、その残量を確認する必要がある。
【００２０】
次に、書類を綴じる動作が繰り返し行なわれて、ステープルマガジン（２０）内のステープル（２１）の最後の１本で書類を綴じた後、ドライバ（３１）が板バネ（３３）の復元力によりステープル打出口（２２）およびステープルマガジン（２０）から抜け出ようとするときに、ドライバ（３１）の切欠き（３２）にプッシャ（２５）の上突起片（２７）が引っ掛かり、ドライバ（３１）を有するハンドル（３０）とプッシャ（２５）を有するステープルマガジン（２０）が密着したままロックされる。
【００２１】
それにより使用者は、ホッチキスが元の状態に復帰しないことから使用操作している手の感覚で異変を察知し、針切れを起こしたことを知ることができるため、その時点で操作レバー（２８）を回動軸（１１）側に引いて切欠き（３２）と上突起片（２７）の引っ掛かりを解放することによりロックを解除し、ハンドル（３０）を開いてステープル（２１）を補充すれば次回の使用時または次の使用者が空打ちして初めてステープル（２１）の補充の必要を知るということを回避できる。
【００２２】
なお、プッシャ（２５）とドライバ（３１）の間にステープル（２１）が１本でも介在していれば上突起片（２７）が切欠き（３２）に引っ掛かることは無く、通常通り違和感なく繰り返し使用することができる。
【００２３】
また、上突起片（２７）と切欠き（３２）の相互の位置関係は、ドライバ（３１）とプッシャ（２５）の動きを固持させることができるものであれば良いので、ドライバ（３１）とプッシャ（２５）の形状は図３に示すものでも良い。
【００２４】
また、操作レバー（２８）は、ドライバ（３１）とプッシャ（２５）の固持を解除できる様にするために、ハンドル（３０）が閉じられた状態でもプッシャ（２５）を押送方向と反対側へ移動するためのものであるため、操作レバー（２８）を用いる代わりに図４に示す様に、ハンドル（３１）が閉じられた状態においてハンドル（３１）、ステープルマガジン（２０）を貫通し、プッシャ（２５）の一部に達する形態の操作ボタン（３４）を遊嵌させ、圧縮バネ（３５）によりホッチキスの外側へ付勢しておき、ハンドル（３０）とステープルマガジン（２０）がロックしたときに操作ボタン（３４）を押すことにより、その先端がプッシャ（２５）を押し戻して上突起片（２７）と切欠き（３２）の引っ掛かりを解消し、ドライバ（３１）とプッシャ（２５）の固持を解除する方法を用いてもよい。
【００２５】
【発明の効果】
本発明の針切れ報知機能付きホッチキスによれば、ステープルの最後の１本を使い切ったときにだけハンドルとステープルマガジンが密着したままロックされ、使用者が手の感覚で針切れを知りステープルを補充することができることから、単純構造ながら確実に空打ちを回避できる。また、ステープルの最後の１本に着色しておき、その着色針によって書類が綴じられたことをもってステープルの補充の必要を知らせる方法やハンドルに視認窓を設けてステープルの残量を随時確認できるようにする方法と比べて、目視確認する必要がなく、かつ、操作する手の感覚に直接訴えることから、針切れを見落として気付かないことがないという利点を有する。
【図面の簡単な説明】
【図１】本発明の実施例を示す側面透視図
【図２】図１のＡ部斜視詳細透視図
【図３】ドライバとプッシャの他の形状例を示す斜視図
【図４】操作レバーの代わりに操作ボタンを用いた場合の構造を示すための、ハンドルがロックされた状態の側面透視図
【符号の説明】
１０．ベース
１１．回動軸
１２．曲台
１３．板バネ
２０．ステープルマガジン
２１．ステープル
２２．ステープル打出口
２３．切起し片
２４．ガイドバー
２５．プッシャ
２６．下突起片
２７．上突起片
２８．操作レバー
２９．圧縮バネ
３０．ハンドル
３１．ドライバ
３２．切欠き
３３．板バネ
３４．操作ボタン
３５．圧縮バネ
【図１】
2004261893.tif 000003
【図２】
2004261893.tif 000004
【図３】
2004261893.tif 000005
【図４】
2004261893.tif 000006